(57)【要約】【課題】逆止弁の摺動隙間への異物の噛み込みを確実に防止できるようにして、作動の安定化を図ることのできるマスタシリンダを提供する。【解決手段】リザーバ２に接続されるシリンダ本体３に、リザーバ２から圧力室６に作動液を補給する補給通路を設ける。補給通路をバイパスしてリザーバ２と圧力室６を連通するバイパス通路３７を設け、バイパス通路３７に、圧力室６の圧がリザーバ２の圧よりも低いときに開く逆止弁３４を設ける。逆止弁３４の上流側と下流側にリザーバ側フィルタ部材４７と圧力室側フィルタ部材４９をそれぞれ設ける。【選択図】図３
2011207480.tif 000002
【特許請求の範囲】
【請求項１】
リザーバから作動液が導入され内部に圧力室を有するシリンダ本体と、前記リザーバから前記圧力室に作動液を補給する補給通路と、前記シリンダ本体内に摺動自在に嵌合されて前記圧力室を画成するとともに摺動位置に応じて前記補給通路を連通、遮断するピストンと、前記補給通路をバイパスして前記リザーバと前記圧力室を連通し、前記圧力室内の圧力が前記リザーバの圧力よりも低いときに開弁して作動液を前記リザーバから前記圧力室へ流通させる逆止弁を有するバイパス通路と、を備えたマスタシリンダにおいて、
前記バイパス通路の前記逆止弁の上流側および下流側に、前記逆止弁への異物の侵入を防止するフィルタがそれぞれ設けられていることを特徴とするマスタシリンダ。
【請求項２】
前記バイパス通路は、前記逆止弁が設けられる弁室と、該弁室と前記リザーバを連通するリザーバ通路と、前記弁室と前記圧力室を連通する圧力室通路とを有し、前記弁室は、前記シリンダ本体に一体に形成された凹部と、該凹部を閉塞する蓋部材とにより構成され、さらに、前記リザーバと逆止弁との間および前記圧力室と逆止弁との間に、該逆止弁への異物の侵入を防止するフィルタがそれぞれ設けられていることを特徴とする請求項１に記載のマスタシリンダ。
【請求項３】
前記弁室には、弁座を有するバルブケースが配置され、該バルブケース内に前記逆止弁の弁体が前記弁座に離着座可能に収容され、該バルブケースには、前記逆止弁の上流側および下流側から該逆止弁への異物の侵入を防止するフィルタがそれぞれ設けられていることを特徴とする請求項２に記載のマスタシリンダ。
【請求項４】
前記逆止弁は、弁体が付勢手段により弁座に向けて付勢されるリフト弁であり、前記弁体は前記弁座に離着座する弁部と摺動部とを有し、前記バイパス通路内には、前記摺動部を摺動可能に案内するガイド部が設けられ、前記フィルタの目は、前記摺動部と前記ガイド部の間の摺動隙間よりも小さく設定されていることを特徴とする請求項１乃至３のいずれかに記載のマスタシリンダ。
【請求項５】
前記弁体の摺動部は、摺動方向に離間した２つのフランジ部を備え、前記フランジ部には作動液の流通を許す通路が設けられていることを特徴とする請求項３または４に記載のマスタシリンダ。
【請求項６】
前記弁体の弁部は、前記摺動部と一体の弁部本体と、これに取り付けられて前記弁座に離接するゴム製の弁シートを有し、該弁シートは、所定以上の圧力で前記弁座に押圧されたときに前記弁体の摺動方向に圧縮され、前記弁体の弁部本体は、このとき前記弁座に当接することを特徴とする請求項３乃至５のいずれかに記載のマスタシリンダ。
【請求項７】
前記弁室の前記凹部は、前記シリンダ本体に一体に形成された底面と該底面を取り囲む側壁とを備えてなり、前記フィルタは、前記弁室内に収容されてなることを特徴とする請求項２または３に記載のマスタシリンダ。
【請求項８】
前記バルブケースの外周が前記蓋部材の内周に嵌合され、前記バルブケースの内側と前記蓋部材で形成される空間に前記逆止弁の弁体が収容され、前記蓋部材の外周が前記弁室の内周にシール状態で嵌合されていることを特徴とする請求項３に記載のマスタシリンダ。
【請求項９】
前記２つのフィルタは前記バルブケースの外側領域に配置されていることを特徴とする請求項３に記載のマスタシリンダ。
【請求項１０】
前記２つのフィルタのうちの一方のフィルタは筒状に形成され、前記バルブケースの外側を覆うように前記蓋部材とシリンダ本体の間に配置されていることを特徴とする請求項３、８、９のいずれかに記載のマスタシリンダ。
【請求項１１】
前記一方のフィルタの軸方向の両端には環状のリップ部が設けられ、該リップ部が前記蓋部材と前記シリンダ本体の間をシールすることを特徴とする請求項１０に記載のマスタシリンダ。
【請求項１２】
前記バルブケースの軸方向の一端側に前記一方のフィルタが当接する前記蓋部材が設けられ、前記バルブケースの軸方向の他端側に前記一方のフィルタの内径よりも外径が大きい環状シール部材が設けられていることを特徴とする請求項１０に記載のマスタシリンダ。
【請求項１３】
前記２つのフィルタのうちの他方のフィルタは有底円筒状に形成され、開口側の端部が前記バルブケースに固着されていることを特徴とする請求項３、８乃至１２のいずれかに記載のマスタシリンダ。
【発明の詳細な説明】
【技術分野】
【０００１】
この発明は、車両のブレーキ装置等に用いられるマスタシリンダに関するものである。
【背景技術】
【０００２】
マスタシリンダは、リザーバから作動液が導入されるシリンダ本体にピストンが摺動自在に嵌合され、シリンダ本体の内部に、ピストンの作動に応じて作動液を加圧する圧力室が形成されている。そして、圧力室は配管を通してブレーキ装置等の液圧機器に接続され、ピストンの作動に応じて液圧機器を作動させるようになっている。また、シリンダ本体には、ピストンの戻り作動時等に圧力室内の圧力が負圧になるのを防止するため、リザーバから圧力室に作動液を補給する補給通路が設けられている。
【０００３】
近年、車両の車輪スリップ状況に応じて車輪に自動的に制動力を付与するトラクションコントロールシステムが開発されている。このようなシステムにおいては、トラクション制御時に液圧機器の一部である制御用ポンプがマスタシリンダの圧力室内から作動液を吸い込み、その作動液を車輪制動部に供給する。この場合、マスタシリンダでは、圧力室から吸い込まれる分に対応する作動液が前記補給通路を通してリザーバから圧力室に補給されるが、制御用ポンプの吸い込み量が多い場合には作動液の補給が不足し易くなる。
【０００４】
従来、これに対処するマスタシリンダとして、圧力室で作動液が不足する状況になった場合に、リザーバと圧力室を接続する別通路を開く構造のものが知られている(例えば、特許文献１参照)。
このマスタシリンダは、シリンダ本体に、補給通路を迂回してリザーバと圧力室を連通するバイパス通路が設けられ、このバイパス通路内に、圧力室内の圧力がリザーバの圧力よりも低くなったときに開弁する逆止弁が介装されている。この逆止弁は、弁孔を有する弁座部材と、弁座部材の弁座に離接する弁体と、弁体を弁座方向に付勢する付勢スプリングと、を備え、これらがバイパス通路内に設けられた弁室に収容されている。
【先行技術文献】
【特許文献】
【０００５】
【特許文献１】特開平１１−２６８６２９号公報
【発明の概要】
【発明が解決しようとする課題】
【０００６】
しかし、この従来のマスタシリンダにおいては、バイパス通路に介装される逆止弁が、同弁に作用する負圧と付勢スプリングの反力のみによる比較的小さな力で作動する構造となっているため、作動液内の異物が逆止弁の摺動隙間に噛み込むと、その噛み込みによって逆止弁の作動が阻害されることが懸念される。
【０００７】
そこで、この発明は、逆止弁の摺動隙間への異物の噛み込みを確実に防止できるようにして、作動の安定化を図ることのできるマスタシリンダを提供しようとするものである。
【課題を解決するための手段】
【０００８】
上記の課題を解決する請求項１に記載の発明は、リザーバから作動液が導入され内部に圧力室を有するシリンダ本体と、前記リザーバから前記圧力室に作動液を補給する補給通路と、前記シリンダ本体内に摺動自在に嵌合されて前記圧力室を画成するとともに摺動位置に応じて前記補給通路を連通、遮断するピストンと、前記補給通路をバイパスして前記リザーバと前記圧力室を連通し、前記圧力室内の圧力が前記リザーバの圧力よりも低いときに開弁して作動液を前記リザーバから前記圧力室へ流通させる逆止弁を有するバイパス通路と、を備えたマスタシリンダにおいて、前記バイパス通路の前記逆止弁の上流側および下流側に、前記逆止弁への異物の侵入を防止するフィルタがそれぞれ設けられていることを特徴とする。
【０００９】
請求項２に記載の発明は、請求項１に記載のマスタシリンダにおいて、前記バイパス通路は、前記逆止弁が設けられる弁室と、該弁室と前記リザーバを連通するリザーバ通路と、前記弁室と前記圧力室を連通する圧力室通路とを有し、前記弁室は、前記シリンダ本体に一体に形成された凹部と、該凹部を閉塞する蓋部材とにより構成され、さらに、前記リザーバと逆止弁との間および前記圧力室と逆止弁との間に、該逆止弁への異物の侵入を防止するフィルタがそれぞれ設けられていることを特徴とする。
【００１０】
請求項３に記載の発明は、請求項２に記載のマスタシリンダにおいて、前記弁室には、弁座を有するバルブケースが配置され、該バルブケース内に前記逆止弁の弁体が前記弁座に離着座可能に収容され、該バルブケースには、前記逆止弁の上流側および下流側から該逆止弁への異物の侵入を防止するフィルタがそれぞれ設けられていることを特徴とする。
【００１１】
請求項４に記載の発明は、請求項１乃至３のいずれかに記載のマスタシリンダにおいて、前記逆止弁は、弁体が付勢手段により弁座に向けて付勢されるリフト弁であり、前記弁体は前記弁座に離着座する弁部と摺動部とを有し、前記バイパス通路内には、前記摺動部を摺動可能に案内するガイド部が設けられ、前記フィルタの目は、前記摺動部と前記ガイド部の間の摺動隙間よりも小さく設定されていることを特徴とする。
【００１２】
請求項５に記載の発明は、請求項３または４に記載のマスタシリンダにおいて、前記弁体の摺動部は、摺動方向に離間した２つのフランジ部を備え、前記フランジ部には作動液の流通を許す通路が設けられていることを特徴とする。
【００１３】
請求項６に記載の発明は、請求項３乃至５のいずれかに記載のマスタシリンダにおいて、前記弁体の弁部は、前記摺動部と一体の弁部本体と、これに取り付けられて前記弁座に離接するゴム製の弁シートを有し、該弁シートは、所定以上の圧力で前記弁座に押圧されたときに前記弁体の摺動方向に圧縮され、前記弁体の弁部本体は、このとき前記弁座に当接することを特徴とする。
【００１４】
請求項７に記載の発明は、請求項２または３に記載のマスタシリンダにおいて、前記弁室の前記凹部は、前記シリンダ本体に一体に形成された底面と該底面を取り囲む側壁とを備えてなり、前記フィルタは、前記弁室内に収容されてなることを特徴とする。
【００１５】
請求項８に記載の発明は、請求項３に記載のマスタシリンダにおいて、前記バルブケースの外周が前記蓋部材の内周に嵌合され、前記バルブケースの内側と前記蓋部材で形成される空間に前記逆止弁の弁体が収容され、前記蓋部材の外周が前記弁室の内周にシール状態で嵌合されていることを特徴とする。
【００１６】
請求項９に記載の発明は、請求項３に記載のマスタシリンダにおいて、前記２つのフィルタは前記バルブケースの外側領域に配置されていることを特徴とする。
【００１７】
請求項１０に記載の発明は、請求項３、８、９のいずれかに記載のマスタシリンダにおいて、前記２つのフィルタのうちの一方のフィルタは筒状に形成され、前記バルブケースの外側を覆うように前記蓋部材とシリンダ本体の間に配置されていることを特徴とする。
【００１８】
請求項１１に記載の発明は、請求項１０に記載のマスタシリンダにおいて、前記一方のフィルタの軸方向の両端には環状のリップ部が設けられ、該リップ部が前記蓋部材と前記シリンダ本体の間をシールすることを特徴とする。
【００１９】
請求項１２に記載の発明は、請求項１０に記載のマスタシリンダにおいて、前記バルブケースの軸方向の一端側に前記一方のフィルタが当接する前記蓋部材が設けられ、前記バルブケースの軸方向の他端側に前記一方のフィルタの内径よりも外径が大きい環状シール部材が設けられていることを特徴とする。
【００２０】
請求項１３に記載の発明は、請求項３、８乃至１２のいずれかに記載のマスタシリンダにおいて、前記２つのフィルタのうちの他方のフィルタは有底円筒状に形成され、開口側の端部が前記バルブケースに固着されていることを特徴とする。
【発明の効果】
【００２１】
この発明によれば、リザーバと圧力室を連通するバイパス通路の逆止弁の上流側と下流側にそれぞれフィルタが設けられているため、これらのフィルタによって逆止弁の作動を阻害する異物の侵入を規制し、逆止弁の円滑な作動を保障することができる。
【図面の簡単な説明】
【００２２】
【図１】この発明の第１の実施形態を示すマスタシリンダの部分断面側面図。
【図２】同実施形態を示すマスタシリンダの平面図。
【図３】同実施形態を示す図２のＡ−Ａ断面とＢ−Ｂ断面を合成した断面図。
【図４】同実施形態を示す逆止弁の拡大断面図。
【図５】同実施形態を示す図６のＤ−Ｄ断面に対応するリザーバ室側フィルタ部材の断面図。
【図６】同実施形態を示す図５のＣ−Ｃ断面に対応するリザーバ室側フィルタ部材の断面図。
【図７】同実施形態を示す圧力室側フィルタ部材の縦断面図。
【図８】同実施形態を示す図７のＥ部の拡大断面図。
【図９】同実施形態の収納部の軸長が最大の場合と最小の場合の圧力室側フィルタ部材の形状変化をそれぞれ（Ａ），（Ｂ）で示す模式的な断面図。
【図１０】同実施形態を示す蓋部材の上面図（Ａ）と縦断面図（Ｂ）を併せて記載した図。
【図１１】同実施形態のバルブケースと弁体の寸法関係を示す模式的な断面図。
【図１２】この発明の第２の実施形態を示す逆止弁の拡大断面図。
【図１３】この発明の第３の実施形態を示す図３と同様の断面図。
【図１４】この発明の第４の実施形態を示す図３と同様の断面図。
【図１５】同実施形態を示す逆止弁の拡大断面図。
【図１６】この発明の第５の実施形態を示す図３と同様の断面図。
【発明を実施するための形態】
【００２３】
以下、この発明の各実施形態を図面に基づいて説明する。なお、以下で説明する各実施形態においては、同一部分には同一符号を付して重複する説明を省略するものとする。
最初に、図１〜図１１に示す第１の実施形態について説明する。
図面において、１は、この発明に係るマスタシリンダであり、２は、このマスタシリンダ１の上部に取付けられたリザーバである。この実施形態のマスタシリンダ１は車両のブレーキ装置に用いられ、運転席のブレーキ操作に連動してブレーキ回路に作動液を供給する。また、ブレーキ回路には図示しないトラクションコントロール用の制御ポンプ（液圧機器）が設けられ、車両の運転状況に応じて、運転者のブレーキ操作とは別にマスタシリンダ１から制御ポンプに作動液が吸引されるようになっている。
【００２４】
マスタシリンダ１は、図１に示すように、有底円筒状のシリンダ本体３内にプライマリピストン４とセカンダリピストン５が直列に配置されたタンデム型のマスタシリンダであり、シリンダ本体３内の両ピストン４，５によって画成される２つの圧力室６（図１においては、後方側の一方の圧力室６のみを図示）が給排孔１０を介して車両の異なるブレーキ配管系(例えば、前輪側のブレーキ配管系と後輪側のブレーキ配管系)に接続されている。
【００２５】
プライマリピストン４は、シリンダ本体３の開口側(図１中の右側)に摺動自在に嵌合され、その開口側の端部が図示しないブースタを介してブレーキペダルの操作ロッドに連結されている。セカンダリピストン５は、シリンダ本体３の底部側に摺動自在に嵌合され、プライマリピストン４との間に圧力室６を形成するとともに、シリンダ本体３の底部との間に図示しない別の圧力室を形成している。各圧力室６内には、プライマリピストン４とセタンダリピストン５に戻り方向の反力を付与するリターンスプリング８が設けられている。各リターンスプリング８は、スプリングリテーナ９に一体に組み付けられ、スプリングユニットとして各圧力室６内に配置されている。
【００２６】
また、シリンダ本体３の上面には、リザーバ２を取付けるためのボス部１１ａ，１１ｂが設けられ、この各ボス部１１ａ，１１ｂにリザーバ２の円筒状の給排口１２ａ，１２ｂ(作動液の供給部)が接続されている。そして、各ボス部１１ａ，１１ｂには、シリンダ本体３の軸心に向かってほぼ直角に凹設され、前記リザーバ２の給排口１２ａ，１２ｂを受容する接続凹部２０ａ，２０ａが形成されている。
【００２７】
一方、シリンダ本体３の内周面のうちの、プライマリピストン４の嵌合される部位には環状溝１４が形成され、その環状溝１４と前記接続凹部２０ａが連通孔１３ａによって接続されている。そして、シリンダ本体３の内周面のうちの、環状溝１４の軸方向の前後位置にはシールリング１５，１６が装着され、これらのシールリング１５，１６によってシリンダ本体３とプライマリピストン４の摺動隙間が液密にシールされている。なお、図１においては図示は省略されているが、シリンダ本体３の内周面のうちの、セカンダリピストン５の嵌合される部位には同様の環状溝が形成され、その環状溝と前記接続凹部２０ｂが連通孔１３ｂによって接続されている。また、このセカンダリ側の環状溝の軸方向の前後にはプライマリ側と同様の図示しないシールリングが装着されている。
【００２８】
また、シリンダ本体３の内周面のうちの、環状溝１４の前方側（図１中左側）には、環状溝１４と圧力室６を接続する導通溝１８が形成されている。この導通溝１８は、シリンダ本体３の軸方向に沿って形成されているが、この導通溝１８の延出方向の途中には前述の一方のシールリング１５が介装されている。このシールリング１５は、断面Ｅ字状に形成され、その断面の開口側が前方（図１中左側）に向くようにシリンダ本体３に設置され、内周壁がプライマリピストン４の外周面に摺動自在に密接するようになっている。また、シールリング１５は、前方側の圧力室６の圧力が後方側の環状溝１４の圧力よりも低くなった場合に、外周壁が撓み変形することによって導通溝１８を開き、環状溝１４（リザーバ２）から圧力室６への作動液の補給を許容する。
さらに、プライマリピストン４には圧力室６に臨む円筒壁４ａが設けられ、その円筒壁４ａには径方向に貫通する戻し孔１７が形成されている。この戻し孔１７は、プライマリピストン４が最大に後退した初期位置にあるときに、圧力室６と環状溝１４とを導通させ、圧力室６およびブレーキ回路をリザーバ２と同圧の大気圧に維持するようになっている。
なお、図示は省略されているが、セカンダリ側についても、ここで説明したプライマリ側と同様の導通溝や戻し孔の構造が採用されている。
【００２９】
したがって、各ピストン４，５が初期位置にあるときには、リザーバ２と各圧力室６が連通孔１３ａ，１３ｂ、環状溝１４及びピストン４，５の戻し孔１７を通して導通しており、トラクションコントロールの作動等により各圧力室６の作動液量が不足したときにリザーバ２から作動液が補給される。上記の初期位置の状態から各ピストン４，５が前方側に移動して各戻し孔１７が環状溝１４に臨む位置から前方側にずれると、リザーバ２と各圧力室６との導通がシールリング１５を介して実質的に遮断される。このとき、各ピストン４，５の前進作動に応じて各圧力室６の圧力が高まり、作動液が給排孔１０を通してブレーキ回路に供給される。
【００３０】
また、この状態から各ピストン４，５がリターンスプリング８の力を受けて後退すると、ブレーキ回路の作動液が給排孔１０を通して各圧力室６，７内に戻される。そして、このとき各圧力室６内の圧力が一時的にリザーバ２の内圧よりも低くなると、前述のようにシールリング１５の外周壁が撓み、導通溝１８を通って各圧力室６内での不足分の作動液がリザーバ２から補給される。
なお、この実施形態の場合、シリンダ本体３の連通孔１３ａ，１３ｂ，環状溝１４および戻し孔１７がこの発明における補給通路を構成している。また、本明細書において、給排孔１０は圧力室６の一部を成すものとする。
【００３１】
ところで、シリンダ本体３のボス部１１ａよりも若干前方側の外側側面には、図１〜図３に示すように弁収容ブロック３０が一体に形成されている。この弁収容ブロック３０はシリンダ本体３の側方から膨出し、鉛直下方（車体組付け状態における鉛直下方）に向かって略円柱状に延出している。弁収容ブロック３０には、図３に示すように、弁収容ブロック３０（シリンダ本体３）に一体に形成された底面と、その底面を取り囲む側壁とを備え、かつ下方に向かって開口する断面略円形状の凹部３１が形成されている。その凹部３１の開口端は蓋部材３２によって閉塞され、凹部３１と蓋部材３２の間には弁室３３が形成されている。この弁室３３内には後述する逆止弁３４が配置されている。また、弁室３３は、シリンダ本体３の側部から鉛直下方に延出するように設けられ、全体がリザーバ２よりも下方側に位置されている。
【００３２】
弁室３３の上部（凹部３１の底面）には、弁室３３から斜め上方側に延出して弁室３３と接続凹部２０ａ（リザーバ２）とを接続するリザーバ通路３５（上流側の通路）が形成され、弁室３３の側壁には、弁室３３とシリンダ本体３内の圧力室６とを接続する圧力室通路３６（下流側の通路）が形成されている。
なお、ここで説明したリザーバ通路３５，弁室３３，圧力室通路３６は、前述した補給通路（連通孔１３，環状溝１４及び戻し孔１７）をバイパスしてリザーバ２と圧力室６を連通するバイパス通路３７を構成している。
また、この実施形態においては、圧力室通路３６を直接圧力室６と接続しているが、圧力室６の一部をなす給排孔１０に圧力室通路３６を接続しても良い。
【００３３】
逆止弁３４は、図４に拡大して示すように、一端が開口した有底円筒状のバルブケース３８と、バルブケース３８の開口側を閉塞する蓋部材３２（蓋体）によってカートリッジ３９が形成され、そのカートリッジ３９の内部に、弁座４０に離着座する弁体４１と、弁体４１を弁座４０方向に付勢する付勢スプリング４２（付勢手段）とが収容されている。なお、カートリッジ３９を構成する蓋部材３２は、図３に示すように、カートリッジ３９が凹部３１に装着された状態において、凹部３１の開口を閉塞する蓋としても機能する。
【００３４】
カートリッジ３９を構成するバルブケース３８は、図４に示すように、軸心部に上下に貫通する弁孔４３（軸方向孔）を備えた頭部壁４４と、頭部壁４４から下方に延出する筒状壁４５と、を備え、筒状壁４５の内周側の空間に臨む頭部壁４４の裏面が弁座４０とされている。頭部壁４４の上面側の中央には略円形状の凹部４６が形成され、その凹部４６には、有底円筒状のリザーバ側フィルタ部材４７が嵌合固定されている。また、筒状壁４５の上端部には、筒状壁４５を径方向に貫通する複数の径方向孔４８…が形成され、筒状壁４５の外周面には、径方向孔４８…の開口を覆うように略円筒状の圧力室側フィルタ部材４９が取り付けられている。したがって、弁室内３３において上流側に配置されるリザーバ側フィルタ部材４７と、下流側に配置される圧力室側フィルタ部材４９は、いずれもバルブケース３８の外側領域に配置されている。
【００３５】
また、頭部壁４４の径方向孔４８…よりも上方側の外周面には環状溝５０が形成され、その環状溝５０に、弁室３３の内周面に密接してカートリッジ３９と弁室３３の間をシールするＯリング５１（環状シール部材）が取り付けられている。このＯリング５１は、図３に示すように、カートリッジ３９を弁室３３に装着したときにリザーバ通路３５と圧力室通路３６の間に位置され、弁室３３内をリザーバ側空間と圧力室側空間とに画成するようになっている。また、Ｏリング５１は、カートリッジ３９を弁室３３に組み付ける前の段階では、環状溝５０に装着した状態において、バルブケース３８の外周面から外側に所定量膨出しており、その外径は、バルブケース３８に嵌合される圧力室側フィルタ部材４７の内径よりも大きくなっている。
【００３６】
リザーバ側フィルタ部材４７は、図５，図６に示すように、有底円筒状のフレーム材５２の周壁と頂部壁に窓５２ａ…が形成され、その各窓５２ａ…がフィルタ本体部であるメッシュ材５３によって覆われている。また、フレーム材５２の下端には、厚肉の環状部５２ｂが設けられ、その環状部５２ｂがバルブケース３８側の凹部４６に密着状態で嵌合されるようになっている。したがって、厚肉の環状部５２ｂによってバルブケース３８の凹部４６に嵌合されたリザーバ側フィルタ部材４７は、その嵌合部よりも上方側において、バルブケース３８の凹部４６の壁によって所定隙間をもって周囲を囲まれている。このため、作動液はリザーバ側フィルタ部材４７の端面ばかりでなく周囲にも回り込み、作動液が通過する際の流通抵抗は小さく抑えられる。
【００３７】
また、圧力室側フィルタ部材４９は、図７，図８に示すように、円筒状のフレーム材５４の周壁に複数の窓５４ａ…が形成され、その各窓５４ａ…がメッシュ材５３によって覆われている。そして、フレーム材５４の上端部と下端部には、図８に拡大して示すようにそれぞれ付根部に環状の窪み部５４ｂを有する薄肉の環状リップ５４ｃ（リップ部）が一体に設けられている。この環状リップ５４ｃは、先端側が径方向外側に開くテーパ状に形成され、軸方向から荷重を受けたときに周域全体が弾性変形するようになっている。圧力室側フィルタ部材４９は、図３に示すように、カートリッジ３９が弁室３３内に装着された状態において、上方側の環状リップ５４ｃが弁室３３内の圧力室通路３６よりも上方側の環状段部５５に当接するとともに、下方側の環状リップ５４ｃが蓋部材３２の端面３２ａに当接するようになっている。
【００３８】
ところで、カートリッジ３９が弁室３３内に装着される際には、部品の製造誤差や組み付け誤差等によって、環状段部５５と蓋部材３２の端面３２ａの間の軸方向の離間幅にばらつきが生じることがあるが、この圧力室側フィルタ部材４９にあっては、上記の環状リップ５４ｃ，５４ｃを介して環状段部５５と端面３２ａに当接するため、図９（Ａ），（Ｂ）に示すように離間幅にばらつきがあっても、環状リップ５４ｃ，５４ｃの弾性変形によって当接隙間を最小限（リザーバ側フィルタ部材４７と圧力室側フィルタ部材４９の目の粗さ以下の隙間幅）に抑えることができる。
【００３９】
カートリッジ３９を構成する蓋部材３２は、図１０（Ａ），（Ｂ）に示すように、全体がほぼ有底円筒状に形成され、底壁５６から延出する周壁５７がバルブケース３８の筒状壁４５の下端外周に嵌合されるようになっている。周壁５７の外周面には環状溝５８が形成され、その環状溝５８に弁室３３との間をシールするＯリング５９（シール部材）が装着されている。
なお、バルブケース３８の筒状壁４５の下端外周には、図４に示すように、断面の小さいＯリング２５（環状弾性部材）が装着されている。このＯリング２５は、蓋部材３２をバルブケース３８に嵌合したときに、弾性変形を伴って両者に密着し、それによって蓋部材３２とバルブケース３８を仮固定するようになっている。このＯリング２５による蓋部材３２とバルブケース３８の係合力は、カートリッジ３９を搬送したり、弁収容ブロック３０に組付けたりするときにカートリッジ３９が分解しない程度のものとなっている。また、蓋部材３２の底壁５６の外周は八角形状の係止部５６ａとされ、その係止部５６ａが弁室３３の凹部３１に形成された円形状の係止溝３１ａ（図３参照）に挿入されるようになっている。
【００４０】
また、カートリッジ３９に収容される弁体４１は、バルブケース３８の筒状壁４５の内側で昇降作動するリフト弁であり、図４に拡大して示すように、バルブケース３８の弁座４０に離着座する弁部６０と、弁部６０の下方に延設された略円筒状の脚部６１（摺動部）と、を有し、脚部６１の外周面がバルブケース３８の筒状壁４５の内周面４５ａ（ガイド部）に摺動自在に案内されるようになっている。
【００４１】
弁部６０は、脚部６１と一体に形成されるアルミニウム合金製の弁部本体６２と、弁部本体６２に取り付けられるゴム製の弁シート６３と、から成り、弁部本体６２は、弁部６０の軸心に沿って突出する支軸６２ａの先端にフランジ部６２ｂが形成され、支軸６２ａとフランジ部６２ｂに円環状の弁シート６３が嵌着固定されている。弁シート６３の端部は、フランジ部６２ｂよりも上方側に円環状に突出し、弁体６１が上方変位したときに弁孔４３の周域の弁座４０に弾接するようになっている。ただし、弁シート６３が所定以上の荷重で弁座４０に圧接されると、弁シート６３の弾性変形に伴って金属製のフランジ部６２ｂが弁座４０に直接当接するようになる。
【００４２】
脚部６１は、上下端の外周にそれぞれフランジ部６４，６４が形成され、これらのフランジ部６４がバルブケース３８の筒状壁４５にガイドされるが、図１１に示すように、両フランジ部６４，６４を含む脚部６１の摺動方向の長さＬは、脚部６１の最大直径Ｄよりも長くなるように設定されている。また、バルブケース３８の筒状壁４５の摺動方向の長さは、脚部６１の摺動方向長さＬよりも長く設定されており、弁体４１の昇降作動時に、脚部６１の摺動部が常に一定の長さ範囲でバルブケース３８に摺接するようになっている。なお、脚部６１の上下のフランジ部６４には作動液の流通を許容するための複数の溝６５（通路）が形成されている。
【００４３】
ところで、バルブケース３８に装着される前述のリザーバ側フィルタ部材４７と圧力室側フィルタ部材４９の目の粗さは、弁体４１の脚部６１（摺動部）とバルブケース３８の筒状壁４５（ガイド部）の間の摺動隙間ｄよりも小さくなるように設定されている。具体的には、摺動隙間ｄは、車両走行中の振動により弁体４１が傾くと、圧力室６への液圧負荷時に弁部本位６２と弁座４０とが直接当接する、いわゆるメタルシールができずに隙間ができてしまい、この隙間に弁シート６３が入り込んで損傷するおそれがあるため、このような弁体４１の傾きが発生しないように、数値的には１４０ミクロンとしており、これに対してフィルタ部材４９の目の粗さは１２０ミクロンから１４０ミクロン未満としている。したがって、これにより、摺動隙間ｄよりも外径の大きい異物ｃは、リザーバ側フィルタ部材４７と圧力室側フィルタ部材４９によって確実に捕獲されるようになり、異物ｃがフィルタ部材４７，４９を通過することがあっても、その異物ｃは弁体４１とバルブケース３８の摺動隙間ｄよりも小さくこの摺動隙間ｄに噛み込むことがなくなる。
【００４４】
付勢スプリング４２は、図４に示すように、脚部６１に囲まれる弁部本体６２の裏面と蓋部材３２の底壁５６の間に介装されている。この実施形態の場合、付勢スプリング４２は、弁体４１とともにバルブケース３８の脚部６１の内側に挿入され、その状態でバルブケース３８に蓋部材３２が嵌合されることにより、弁部本体６２の裏面と蓋部材３２の底壁５６の間に圧縮状態で介装される。
また、図３に示すように、弁室３３の凹部３１のうちの開口寄りの内周面には雌ねじ６６が設けられ、凹部３１内にカートリッジ３９を嵌入した後に、雌ねじ６６にナット６７が螺合されることによってカートリッジ３９の蓋部材３２が弁収容ブロック３０に締め付け固定されるようになっている。
【００４５】
以上の構成において、車両の走行中にトラクションコントロールが作動してブレーキ回路内の制御ポンプがマスタシリンダ１側から作動液を吸い上げ、マスタシリンダ１内の第１圧力室６の圧力がリザーバ２内の圧力よりも設定圧以上に低下すると、弁収容ブロック３０内の逆止弁３４の弁体４１が付勢スプリング４２の力に抗して鉛直下方に変位し、このとき弁部６０が弁座４０から離間することによってバイパス通路３７の圧力室通路３６とリザーバ通路３５を連通させる。これにより、リザーバ２内の作動液がリザーバ通路３５、弁孔４３、径方向孔４８、圧力室通路３６を順次通って圧力室６内に補給されるようになる。したがって、これにより充分な量の作動液が圧力室６から制御ポンプに迅速に供給されるようになり、所望のトラクションコントロールが安定して得られるようになるとともに、マスタシリンダ１内での負圧の発生も防止される。
【００４６】
このマスタシリンダ１は、バルブケース３８の上部と外周面にそれぞれリザーバ側フィルタ部材４７と圧力室側フィルタ部材４９が取り付けられ、リザーバ通路３５や圧力室通路３６を通して逆止弁３４内に侵入しようとする大型の異物ｃを両フィルタ部材４７，４９によって確実に捕獲することができるため、逆止弁３４の弁体４１とバルブケース３８の摺動隙間に異物ｃが噛むことを未然に防止することができる。特に、このマスタシリンダ１では、各フィルタ部材４７，４９の目の粗さが、弁体４１とバルブケース３８の摺動隙間ｄよりも小さくなるように設定されているため、異物ｃがフィルタ部材４７，４９を通過することがあっても、その異物ｃが弁体４１の作動を阻害することはない。したがって、このマスタシリンダ１においては、逆止弁３４の円滑な作動を長期に亙って保障することができる。
【００４７】
また、この実施形態のマスタシリンダ１の場合、逆止弁３４の弁体４１が摺動方向に離間した２つのフランジ部６４を備えた構造とされているため、バルブケース３８と弁体４１の軸方向の中間領域の間に異物ｃがより噛み込みにくくなる。また、各フランジ部６４には複数の溝６５…が形成されているため、フランジ部６４での異物の噛み込みをも少なくすることができる。したがって、これらにより逆止弁３４の円滑な作動をさらに保障することができる。
【００４８】
さらに、この実施形態のマスタシリンダ１は、リザーバ側フィルタ部材４７と圧力室側フィルタ部材４９が逆止弁３４とともに弁室３３内に収容された構造とされているため、両フィルタ部材４７，４９の組込みが容易になるという利点がある。
【００４９】
また、このマスタシリンダ１においては、バルブケース３８と蓋部材３２の間に介装したＯリング２５によって両者を固定してカートリッジ３９を構成するようになっているため、極めて簡単な構造でありながら、弁体４１や付勢スプリング４２を内部に収容した状態において、カートリッジ３９を弁室３３の凹部４６に装填し、凹部４６にナット６７を締め込むによってカートリッジ３９を凹部４６に確実に固定することができる。
さらにこの実施形態の場合、バルブケース３８の軸方向の一端側外周に蓋部材３２が配置され、バルブケース３８の他端側外周に、圧力室側フィルタ部材４９の内径よりも外径の大きいＯリング５１が装着されているため、カートリッジ３９を弁室３３に組み込む前段階において、圧力室側フィルタ部材４９をカートリッジ３９の外周に確実に仮止めしておくことができる。すなわち、カートリッジ３９に嵌合されたＯリング５１は蓋部材３２とＯリング５１の間に配置されるため、これらの蓋部材３２とＯリング５１によって確実に脱落を防止される。
【００５０】
そして、このマスタシリンダ１にあっては、カートリッジ３９を構成する蓋部材３２が弁室３３の凹部３１の蓋を兼ねるため、部品点数を削減できるという利点がある。
また、この実施形態においては、蓋部材３２が固定のために回転するナット６７と別体で構成されており、ナット６７による締め込みによって蓋部材３２が押圧固定されるようになっているため、カートリッジ３９と凹部４６の間に介装されるＯリング５９が固定時に捻られることがなく、安定したシール性能を確実に得ることができる。
ただし、図１２に示す第２の実施形態のように、蓋部材１３２の外周に雄ねじ６９を設け、蓋部材１３２を弁室の凹部に直接ねじ込むようにしても良い。この場合には、さらなる部品点数の削減が可能になる。
【００５１】
また、このマスタシリンダ１にあっては、弁体４１の脚部６１の摺動を案内する筒状壁４５と弁座４０が一体のバルブケース３８に設けられているため、弁座４０に対する弁体４０の着座精度を高めることができる。加えて、弁体４１の脚部６１の摺動長さが脚部６１の直径よりも長く設定されているため、弁体４１の作動時における姿勢をより安定させることができる。
この実施形態の場合、バルブケース３８の筒状壁４５の摺動部長さが、弁体４１の脚部６１の摺動部長さと弁体４１の昇降ストロークを加えた長さよりも長く設定されている。このため、弁体４１は摺動部で引っ掛かることがなく常時安定して昇降作動する。したがって、このマスタシリンダ１においては、弁座４０に対する弁体４１の着座姿勢を常時安定させ、弁座４０に対する弁シート６３の片当たりを防止することができる。
【００５２】
さらに、このマスタシリンダ１においては、弁体４１の弁部６０が金属製の弁部本体６２と、ゴム製の弁シート６３とから構成されているため、弁シート６３が弁座４０に密接することによって確実に液密状態での閉弁することができるうえ、弁体４１が圧力室６からの高圧を受けることによって弁シート６３が弁座４０に押し付けられたときには、弁部本体６２が直接弁座４０に当接することによって、圧力室６とリザーバ２（大気圧）との境界部に、弁シート６３が入り込んで損傷するような隙間が形成されなくなり、弁シート６３の保護と液密性の維持を図ることができる。
【００５３】
さらに、このマスタシリンダ１においては、弁体４１が重力方向に移動するように逆止弁３４が弁収容ブロック３０内に配置されているため、圧力室６側から弁室３３内側に流入したエアを弁体４１の作動とともに外部に排出することができる。特に、この実施形態の場合、リザーバ２が弁室３３の上方側に配置され、弁室３３の上端部とリザーバ２が上方傾斜したリザーバ通路３５によって接続されているため、弁室３３内に流入したエアを効率良くリザーバ２に排出することができる。
【００５４】
なお、以上で説明した実施形態では、リザーバ側フィルタ部材４７がバルブケース３８の上面の凹部４６に嵌合されているが、リザーバ側フィルタ部材４７は、図１３に示す第３の実施形態のように弁収容ブロック３０の凹部３１の底面に形成した嵌合穴７５に嵌着固定するようにしても良い。
【００５５】
次に、図１４，図１５に示すこの発明の第４の実施形態について説明する。
この実施形態は、基本的な構成は第１の実施形態とほぼ同様であるが、弁室３３の凹部３１に収容される逆止弁２３４の構成が主に異なっている。
具体的には、逆止弁２３４の構成のうちでも、バルブケース３８と蓋部材３２によってカートリッジ３９が形成されている点や、カートリッジ３９内に弁体２４１と付勢スプリング４２が収容される点等は同様であるが、弁体２４１と、弁体２４１のガイド部と、リザーバ側フィルタ部材４７の取付部の構成が大きく異なっている。
【００５６】
すなわち、弁体２４１は、金属製の弁部本体６２とゴム製の弁シート６３から成る弁部６０に断面略十字状のガイド軸７０が突設され、このガイド軸７０が、バルブケース３８の頭部壁４４のうちの、弁孔を兼ねるガイド孔７１に摺動自在に嵌入されている。この実施形態の場合、弁体２４１はガイド軸７０部分がガイド孔７１に案内されて昇降作動するが、ガイド軸７０の軸長は、少なくともガイド孔７１の軸長と、弁体２４１のストローク量を加算したものよりも大きくなるように設定されている。これにより、弁体２４１は常に一定の摺動方向長さをもって安定して案内されることになる。
【００５７】
また、この実施形態においては、弁体２４１のガイド軸７１がバルブケース３８のガイド孔７１から上方に突出するが、バルブケース３８の上面には比較的浅い凹部４６が形成され、その凹部４６にリザーバ側フィルタ部材４７が嵌合固定されている。弁体２４１のガイド軸７１はリザーバ側フィルタ部材４７の内側に突出する。したがって、この実施形態の場合、バルブケース３８の軸長を短くすることができる。そして、この実施形態においては、バルブケース３８の凹部４６が浅い分リザーバ側フィルタ部材４７がバルブケース３８の上面側から大きく突出することになるが、弁収容ブロック３０の凹部３１の底面には、突出したリザーバ側フィルタ部材４７を受容するための凹部７７が形成されている。リザーバ側フィルタ部材４７の頂部と外周面は、凹部７７に対して所定の隙間が保たれている。
【００５８】
この実施形態は、弁体２４１と、そのガイド部の構成等が若干異なるものの、第１の実施形態とほぼ同様の作用と効果を得ることができる。ただし、この実施形態では、ガイド軸７１がリザーバ側フィルタ部材４７の内側に突出する構造であることから、カートリッジ３９を小型化できるという利点がある。
【００５９】
なお、この発明は上記の実施形態に限定されるものではなく、その要旨を逸脱しない範囲で種々の設計変更が可能である。例えば、上記の各実施形態においては、いずれも弁室内にフィルタ部材を配置しているが、図１６に示すこの発明の第５の実施形態のように、リザーバ側フィルタ部材４７を、リザーバ通路３５の接続凹部２０ａに臨む位置に設置することも可能である。また、上記の各実施形態はタンデム型のマスタシリンダについて説明したが、ピストンが単一であるシングル型のマスタシリンダであっても良い。
【００６０】
上述した各実施形態の構成と作用効果をまとめると以下のようになる。
【００６１】
（１）上記各実施形態によれば、リザーバから作動液が導入され内部に圧力室を有するシリンダ本体と、前記リザーバから前記圧力室に作動液を補給する補給通路と、前記シリンダ本体内に摺動自在に嵌合されて前記圧力室を画成するとともに摺動位置に応じて前記補給通路を連通、遮断するピストンと、前記補給通路をバイパスして前記リザーバと前記圧力室を連通し、前記圧力室内の圧力が前記リザーバの圧力よりも低いときに開弁して作動液を前記リザーバから前記圧力室へ流通させる逆止弁を有するバイパス通路と、を備えたマスタシリンダにおいて、前記バイパス通路の前記逆止弁の上流側および下流側に、前記逆止弁への異物の侵入を防止するフィルタがそれぞれ設けられているので、これらのフィルタによって逆止弁の作動を阻害する異物の侵入を規制し、逆止弁の円滑な作動を保障することができる。
【００６２】
（２）上記各実施形態によれば、前記逆止弁は、弁体が付勢手段により弁座に向けて付勢されるリフト弁であり、前記弁体は前記弁座に離着座する弁部と摺動部とを有し、前記バイパス通路内には、前記摺動部を摺動可能に案内するガイド部が設けられ、前記フィルタの目は、前記摺動部と前記ガイド部の間の摺動隙間よりも小さく設定されているため、フィルタを通過した異物が逆止弁の摺動部に噛み込むのを確実に防止することができる。
【００６３】
（３）上記第１，２，３，５の実施形態によれば、弁体の摺動部は、摺動方向に離間した２つのフランジ部を備えてなるので、弁体の軸方向の中間領域とガイド部との間に異物がより噛み込みにくくなり、逆止弁の作動不良の可能性をより少なくすることが可能になる。
【００６４】
（４）上記第１，２，３，５の実施形態によれば、前記フランジ部に作動液の流通を許容する通路が設けられているため、フランジ部における異物の噛み込みをより少なくすることができる。
【００６５】
（５）上記各実施形態によれば、弁体の弁部が、摺動部と一体の弁部本体と、弁座に離接するゴム製の弁シートを有する構成とされているため、弁座にゴム製の弁シートで密着することによって確実に閉弁状態を維持することができる。
【００６６】
（６）上記各実施形態によれば、弁シートは、所定以上の圧力で前記弁座に押圧されたときに前記弁体の摺動方向に圧縮され、前記弁体の弁部本体は、このとき前記弁座に当接するため、圧力室とリザーバとの境界部に隙間がなくなるので、弁シートが隙間に入り込んで損傷するような恐れがなく、弁シートの性能を長期に亙って維持することができる。
【００６７】
（７）上記各実施形態によれば、内部の圧力室で発生する加圧された作動液を外部に供給するシリンダ本体と、該シリンダ本体に形成されてリザーバに貯留されている作動液を前記圧力室に補給する補給通路と、該補給通路をバイパスして前記リザーバと前記圧力室を連通するバイパス通路と、該バイパス通路に介装されて前記リザーバから前記圧力室へのみ作動液の供給を許す逆止弁と、を備えたマスタシリンダにおいて、前記バイパス通路は、前記逆止弁が設けられる弁室と、該弁室と前記リザーバを連通するリザーバ通路と、前記弁室と前記圧力室を連通する圧力室通路とを有し、前記弁室は、前記シリンダ本体に一体に形成された凹部と、該凹部を閉塞する蓋部材とにより構成され、さらに、前記リザーバと逆止弁との間および前記圧力室と逆止弁との間に、該逆止弁への異物の侵入を防止するフィルタがそれぞれ設けられているので、これらのフィルタによって逆止弁の作動を阻害する異物の侵入を規制し、逆止弁の円滑な作動を保障することができる。
【００６８】
（８）上記各実施形態によれば、逆止弁は、弁座が前記弁座に離着座するリフト弁であり、前記弁室内には前記弁体の摺動部を摺動可能に案内するガイド部が設けられ、前記フィルタの目は、前記摺動部と前記ガイド部の間の摺動隙間よりも小さく設定されているので、フィルタを通過した異物が逆止弁の摺動部に噛み込むのを確実に防止することができる。
【００６９】
（９）上記第１，２，３，５の実施形態によれば、逆止弁を構成する弁体が摺動方向に離間した２つのフランジ部を備えているため、弁体の軸方向の中間領域とガイド部との間に異物がより噛み込みにくくなり、逆止弁の作動不良の可能性をより少なくすることが可能になる。
【００７０】
（１０）上記各実施形態によれば、弁体の弁部本体には、前記弁座に離接するゴム製の弁シートが設けられ、前記弁体は付勢手段により前記弁座に向けて付勢されているため、弁座にゴム製の弁シートで密着することによって確実に閉弁状態を維持することができる。
【００７１】
（１１）上記第１〜４の実施形態によれば、前記凹部は、前記シリンダ本体に一体に形成された底面と該底面を取り囲む側壁とを備えてなり、前記フィルタは、前記弁室内に収容されてなるため、フィルタの組込みが容易になるという利点がある。
【００７２】
（１２）上記第１，２，４の実施形態によれば、リザーバから作動液が導入されるシリンダ本体と、該シリンダ本体内に摺動自在に嵌合されて該シリンダ本体内に圧力室を画成するピストンと、前記シリンダ本体に形成されて前記リザーバから前記圧力室に作動液を補給する補給通路と、該補給通路をバイパスして前記リザーバと前記圧力室を連通するバイパス通路と、該バイパス通路に介装されて前記圧力室内の圧力が前記リザーバの圧力よりも低いときに開弁する逆止弁と、を備えたマスタシリンダにおいて、前記バイパス通路は、前記逆止弁が設けられる弁室を有し、該弁室を前記リザーバおよび前記圧力室に連通し、前記弁室は、前記シリンダ本体に一体に形成された凹部と、該凹部を閉塞する蓋部材とにより構成され、さらに、前記弁室に弁座を有するバルブケースが配置され、該バルブケース内に前記逆止弁の弁体が前記弁座に離着座可能に収容され、該バルブケースには、前記逆止弁の上流側および下流側から該逆止弁への異物の侵入を防止するフィルタがそれぞれ設けられているので、これらのフィルタによって逆止弁の作動を阻害する異物の侵入を規制し、逆止弁の円滑な作動を保障することができる。
【００７３】
（１３）上記第１，２，４の実施形態によれば、前記逆止弁は、弁体が付勢手段により前記弁座に向けて付勢され、その弁体が前記弁座に離着座するリフト弁であり、前記バルブケース内には、前記弁体の摺動部を摺動可能に案内するガイド部が設けられ、前記フィルタの目は、前記摺動部と前記ガイド部の間の摺動隙間よりも小さく設定されているため、フィルタを通過した異物が逆止弁の摺動部に噛み込むのを確実に防止することができる。
【００７４】
（１４）上記第１，２，４の実施形態によれば、バルブケースの外周に蓋部材が嵌合され、バルブケースと蓋部材で形成される空間に逆止弁の弁体が収容されるとともに、蓋部材の外周が弁室の内周にシール状態で嵌合されるため、逆止弁の弁体を収容するカートリッジの蓋部材を利用して弁室を密閉状態で閉塞することができる。
【００７５】
（１７）上記各実施形態によれば、バルブケースの外側を覆う筒状のフィルタの軸方向の両端に環状のリップ部が設けられ、該リップ部が蓋部材とシタリンダ本体の間をシールするようになっているため、フィルタ収納部とフィルタの間に軸方向の寸法のばらつきがあっても、そのばらつきをリップ部の弾性によって吸収することができる。
【００７６】
（１８）上記各実施形態によれば、バルブケースの軸方向の一端側にフィルタが当接する蓋部材が設けられ、他端側にフィルタの内径よりも外径が大きい環状シール部材が設けられているため、逆止弁を弁室に組み付ける前の状態において、フィルタを蓋部材と環状シールの間で保持させることができ、それにより、組み付け作業効率を高めることができる。
【００７７】
（１９）上記第１，２，４の実施形態によれば、他方のフィルタが有底円筒状に形成され、開口側の端部がバルブケースに固着されるため、広い面積でもって異物の捕獲を行うことができ、それにより作動液の吸入抵抗の低減を図ることができる。
【００７８】
（２０）第１，２の実施形態によれば、他方のフィルタの周囲がバルブケースに隙間をもって囲まれているため、作動液の吸入抵抗の低減と、フィルタ占有スペースの狭小化を図ることができる。
【符号の説明】
【００７９】
1…マスタシリンダ
２…リザーバ
３…シリンダ本体
４…プライマリピストン(ピストン)
６…圧力室
１３ａ…連通孔（補給通路）
１４…環状溝（補給通路）
１７…戻し孔（補給通路）
３１…凹部
３２，１３２…蓋部材（蓋体）
３３…弁室
３４，２３４…逆止弁
３５…リザーバ通路
３６…圧力室通路
３７…バイパス通路
３８，３３８…バルブケース
３９，３３９…カートリッジ
４０…弁座
４１，２４１…弁体
４２…付勢スプリング（付勢手段）
４５ａ…内周面（ガイド部）
４７…リザーバ側フィルタ部材
４９…圧力室側フィルタ部材
５１…Ｏリング（環状シール部材）
５４ｃ…環状リップ（リップ部）
６０…弁部
６１…脚部（摺動部）
６２…弁部本体
６３…弁シート
６４…フランジ部
６５…溝（通路）
【図１】
2011207480.tif 000003
【図２】
2011207480.tif 000004
【図３】
2011207480.tif 000005
【図４】
2011207480.tif 000006
【図５】
2011207480.tif 000007
【図６】
2011207480.tif 000008
【図７】
2011207480.tif 000009
【図８】
2011207480.tif 000010
【図９】
2011207480.tif 000011
【図１０】
2011207480.tif 000012
【図１１】
2011207480.tif 000013
【図１２】
2011207480.tif 000014
【図１３】
2011207480.tif 000015
【図１４】
2011207480.tif 000016
【図１５】
2011207480.tif 000017
【図１６】
2011207480.tif 000018
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
リザーバから作動液が導入され内部に圧力室を有するシリンダ本体と、前記リザーバから前記圧力室に作動液を補給する補給通路と、前記シリンダ本体内に摺動自在に嵌合されて前記圧力室を画成するとともに摺動位置に応じて前記補給通路を連通、遮断するピストンと、前記補給通路をバイパスして前記リザーバと前記圧力室を連通し、前記圧力室内の圧力が前記リザーバの圧力よりも低いときに開弁して作動液を前記リザーバから前記圧力室へ流通させる逆止弁を有するバイパス通路と、を備えたマスタシリンダにおいて、
前記バイパス通路の前記逆止弁の上流側および下流側に、前記逆止弁への異物の侵入を防止するフィルタがそれぞれ設けられ、
前記逆止弁は、弁体が付勢手段により弁座に向けて付勢されるリフト弁であり、前記弁体は前記弁座に離着座する弁部と摺動部とを有し、前記バイパス通路内には、前記摺動部を摺動可能に案内するガイド部が設けられ、前記フィルタの目は、前記摺動部と前記ガイド部の間の摺動隙間よりも小さく設定されていることを特徴とするマスタシリンダ。
【請求項２】
前記バイパス通路は、前記逆止弁が設けられる弁室と、該弁室と前記リザーバを連通するリザーバ通路と、前記弁室と前記圧力室を連通する圧力室通路とを有し、前記弁室は、前記シリンダ本体に一体に形成された凹部と、該凹部を閉塞する蓋部材とにより構成され、
前記フィルタは、前記リザーバと逆止弁との間および前記圧力室と逆止弁との間に、それぞれ設けられていることを特徴とする請求項１に記載のマスタシリンダ。
【請求項３】
前記弁体の摺動部は、摺動方向に離間した２つのフランジ部を備え、前記フランジ部には作動液の流通を許す通路が設けられていることを特徴とする請求項１または２に記載のマスタシリンダ。
【請求項４】
前記弁体の弁部は、前記摺動部と一体の弁部本体と、これに取り付けられて前記弁座に離接するゴム製の弁シートを有し、該弁シートは、所定以上の圧力で前記弁座に押圧されたときに前記弁体の摺動方向に圧縮され、前記弁体の弁部本体は、このとき前記弁座に当接することを特徴とする請求項１乃至３のいずれかに記載のマスタシリンダ。
【手続補正２】
【補正対象書類名】明細書
【補正対象項目名】０００８
【補正方法】変更
【補正の内容】
【０００８】
上記の課題を解決する請求項１に記載の発明は、リザーバから作動液が導入され内部に圧力室を有するシリンダ本体と、前記リザーバから前記圧力室に作動液を補給する補給通路と、前記シリンダ本体内に摺動自在に嵌合されて前記圧力室を画成するとともに摺動位置に応じて前記補給通路を連通、遮断するピストンと、前記補給通路をバイパスして前記リザーバと前記圧力室を連通し、前記圧力室内の圧力が前記リザーバの圧力よりも低いときに開弁して作動液を前記リザーバから前記圧力室へ流通させる逆止弁を有するバイパス通路と、を備えたマスタシリンダにおいて、前記バイパス通路の前記逆止弁の上流側および下流側に、前記逆止弁への異物の侵入を防止するフィルタがそれぞれ設けられ、前記逆止弁は、弁体が付勢手段により弁座に向けて付勢されるリフト弁であり、前記弁体は前記弁座に離着座する弁部と摺動部とを有し、前記バイパス通路内には、前記摺動部を摺動可能に案内するガイド部が設けられ、前記フィルタの目は、前記摺動部と前記ガイド部の間の摺動隙間よりも小さく設定されていることを特徴とする。
【手続補正３】
【補正対象書類名】明細書
【補正対象項目名】０００９
【補正方法】変更
【補正の内容】
【０００９】
請求項２に記載の発明は、請求項１に記載のマスタシリンダにおいて、前記バイパス通路は、前記逆止弁が設けられる弁室と、該弁室と前記リザーバを連通するリザーバ通路と、前記弁室と前記圧力室を連通する圧力室通路とを有し、前記弁室は、前記シリンダ本体に一体に形成された凹部と、該凹部を閉塞する蓋部材とにより構成され、前記フィルタは、前記リザーバと逆止弁との間および前記圧力室と逆止弁との間に、それぞれ設けられていることを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項３に記載の発明は、請求項１または２に記載のマスタシリンダにおいて、前記弁体の摺動部は、摺動方向に離間した２つのフランジ部を備え、前記フランジ部には作動液の流通を許す通路が設けられていることを特徴とする。
【手続補正７】
【補正対象書類名】明細書
【補正対象項目名】００１３
【補正方法】変更
【補正の内容】
【００１３】
請求項４に記載の発明は、請求項１乃至３のいずれかに記載のマスタシリンダにおいて、前記弁体の弁部は、前記摺動部と一体の弁部本体と、これに取り付けられて前記弁座に離接するゴム製の弁シートを有し、該弁シートは、所定以上の圧力で前記弁座に押圧されたときに前記弁体の摺動方向に圧縮され、前記弁体の弁部本体は、このとき前記弁座に当接することを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】